(57)【要約】【課題】  上フイルムと下フイルムとで構成されて両フイルム間に写真や図面などを挟みこんでラミネートするラミネートフイルムであって、ラミネートされた複数枚のシートをファイルすると共に、１枚づつ捲ることが出来るラミネートフイルムの提供。【解決手段】  重ね合わした上下フイルム１，２の上部３及び側部４を溶着し、そして上フイルム１の側端部には細いスリット溝５を側縁に沿って設け、スリット溝部は肉厚が薄くて屈曲又は湾曲することが出来る。【選択図】    図１
2005246846.tif 000002
【特許請求の範囲】
【請求項１】
上フイルムと下フイルムとで構成されて両フイルム間に写真や図面などを挟みこんでラミネートするラミネートフイルムにおいて、重ね合わした上下フイルムの縁部及び該縁部に対して垂直を成す他の縁部を溶着し、そして上フイルムの一方の縁端部には細いスリット溝を縁に沿って設けたことを特徴とするラミネートフイルム。
【請求項２】
上フイルムと下フイルムとで構成されて両フイルム間に写真や図面などを挟みこんでラミネートするラミネートフイルムにおいて、重ね合わした上下フイルムの上部及び側部を溶着し、そして上フイルムの側端部には細いスリット溝を側縁に沿って設けたことを特徴とするラミネートフイルム。
【発明の詳細な説明】
【技術分野】
【０００１】
本発明は写真などを挟んだ状態で製本やファイリングが出来るラミネートフイルムに関するものである。
【背景技術】
【０００２】
写真、書面、図面などを長期保存する為にラミネートフイルムが使用されている。ところで、従来のラミネートフイルムの形状は図３に示すように、２枚のフイルム(イ)、(イ)が重なり合って、その上部(ロ)が溶着されている。すなわち、２枚のフイルム(イ)、(イ)が対を成して重なり合った形態をしている。
【０００３】
図４は上記ラミネートフイルム(イ)、(イ)間には写真(ハ)、(ニ)、(ホ)、(ヘ)を挟み込んでラミネートした場合を示している。すなわち、写真(ハ)，(ニ)・・を挟んで熱を加えてプレスするならば、上記フイルム(イ)、(イ)は強張って写真(ハ)、(ニ)、(ホ)、(ヘ)と共に１枚の固いシート(ト)となる。
【０００４】
ところで、上記複数枚のシート(ト)、(ト)・・をファイルする為に左側部に穴(チ)、(チ)を穿設して紐を通すことは出来る。しかし、該紐を通して結束してもその結束力は弱く、複数枚のシート(ト)、(ト)・・がバラバラにならないように保管する程度に過ぎず、しかも、紐で結束した状態では個々のシート(ト)、(ト)・・を捲り難い。
【０００５】
そして、固く強張ったシート(ト)、(ト)・・は、紐で結束されても弛んでしまい、実際にはファイルすることが不可能である。そこで、側端部ホッチキスなどの金具で結束するならば弛むことはないが、強張った固いシート(ト)、(ト)・・を１枚づつ捲ることは出来なくなる。
【発明の開示】
【発明が解決しようとする課題】
【０００６】
このように、従来のラミネートフイルムには上記のごとき問題がある。本発明が解決しようとする課題はこれら問題点であり、製本又はファイルが出来るように綴じ代を作ることが出来るラミネートフイルムを提供する。
【課題を解決するための手段】
【０００７】
本発明に係るラミネートフイルムは製本を可能にする為の綴じ代を設けている。該ラミネートフイルムは上フイルムと下フイルムが対を成して重なり合い、上部は溶着されると共に側部も溶着されている。そして、上フイルムの側端部にはスリット溝を形成して綴じ代を設けている。すなわち、スリット溝から側縁までが綴じ代となる。
【０００８】
そこで、上フイルムは側端部の綴じ代から分離して捲り上げることが出来、下フイルムとの間に写真、図面、書面などを挟むことが出来る。そして、加熱状態でプレスするならば固く強張って１枚のラミネートシートとなる。しかし、該シートの側端部には綴じ代が設けられ、複数枚のシートは綴じ代を介して固定され、ファイルされる。
【０００９】
ところで、綴じ代は必ずしも側端部に設ける場合に限定せず、上端部又は下端部に設けることも可能である。従って、この場合にはスリット溝を設ける箇所は上部であり又は下部となり、溶着される縁部はスリット溝と平行した縁部と該縁部に対して垂直方向の縁部となる。
【発明の効果】
【００１０】
本発明に係るラミネートフイルムは写真、書面、及び図面などを挟んで保存することは従来通り可能である。そして、本発明では上フイルム又は下フイルムの側端部にスリット溝を形成することで、肉厚が薄くなって屈曲し易い繋ぎ部が形成されることに成り、その結果、複数枚のシートを重ね合わせて綴じ代を金具などで固定することでファイルすることが出来る。従って、写真や図形などを挟み込んだ複数枚のシートをファイルして保管する上で便利であると共に、非常に見易くなる。
【実施例】
【００１１】
図１は本発明に係るラミネートフイルムを示す実施例であり、上フイルム１と下フイルム２から成り、上下フイルム１，２は互いに重なり合っている。そして、上部３と側部４は加熱されて上フイルム１と下フイルム２は互いに溶着している。そして、上フイルム１の側端部には細いスリット溝５が側縁に沿って平行に設けられている。
【００１２】
従って、上フイルム１はスリット溝５を介して側部４から切り離されている為に、該上フイルム１は捲り上げることが出来、間に写真や図面などを挟み込むことが出来る。そして、加熱した状態でプレスすることで強張った１枚のラミネートシートとなるが、上記スリット溝５が形成されている部分は下フイルム２だけであることから、剛性は低くて屈曲及湾曲することが可能である。
【００１３】
すなわち、スリット溝５を境として側端部は綴じ代６となり、複数枚のシートは該綴じ代６，６・・を介してファイルされる。ラミネートフイルムは、上フイルム１と下フイルム２との間に写真や図面などを挟みこんで加熱しながらプレスするならば、強張った１枚のシートと成って、挟み込まれた上記写真や図面などは、汚れ、折れ曲がり、変色なく長期間保管される。
【００１４】
ところで、ファイルの具体的な方法は限定しないことにするが、金属金具にて綴じ代を固定したり、又は穴を設けて紐で結束することも出来る。すなわち、複数枚のシート８，８・・を重ね合わせた状態で綴じ代を固定してファイルすることが可能と成る。そして、交換したいページは簡単に入れ替えることも出来る。
【００１５】
本発明のラミネートフイルムの大きさは限定せず、Ｌ判、２Ｌ判、Ｂ５、Ｂ４、Ａ４、Ａ３、Ａ３ノビの定型内で綴じ代を設けた縦型及び横型の場合、又はＬ判、２Ｌ判、Ｂ５、Ｂ４、Ａ４、Ａ３、Ａ３ノビの定型外で綴じ代を設けた縦型及横型とすることが出来る。すなわち、綴じ代６は図１のように側端部に限らず、上端部に設ける場合、又は下端部に設ける場合もある。
【産業上の利用可能性】
【００１６】
このように、写真や図面をラミネートフイルムに挟み込んでラミネートし、本発明では綴じ代を設けることで複数枚のラミネートされたシートをファイル可能としている。そこで、例えば河川工事や湾岸工事では図面をラミネートしてファイリングすることにより、作業者は見やすく、しかも水に濡れることなく最後まで汚れないで使用可能である。
【００１７】
又、レストラン等のメニューをラミネートしてファイリングするならば使い易く、何度使っても損傷することはなく、何時までも古臭くならない。一方、一般家庭で写真等をデジタルカメラで写し、プリンターで印刷することは増えているが、これをラミネートフイルムでラミネートすると共にファイルして保存することが出来る。そして、ラミネートされた印刷写真は白い部分も変色することはない。
【図面の簡単な説明】
【００１８】
【図１】本発明に係るラミネートフイルムの実施例。
【図２】ラミネートフイルムに写真をラミネートしたシート。
【図３】従来のラミネートフイルム。
【図４】従来のラミネートフイルムにて写真をラミネートしたシート。
【符号の説明】
【００１９】
１  上フイルム
２  下フイルム
３  上部
４  側部
５  スリット溝
６  綴じ代
７  写真
８  シート
【図１】
2005246846.tif 000003
【図２】
2005246846.tif 000004
【図３】
2005246846.tif 000005
【図４】
2005246846.tif 000006